【手続補正書】
【提出日】平成30年12月12日(2018.12.12)
【手続補正１】
【補正対象書類名】特許請求の範囲
【補正対象項目名】全文
【補正方法】変更
【補正の内容】
【特許請求の範囲】
【請求項１】
インプラント（１）、挿入ワイヤ（１４）及び放出チューブ（１３）を備えた、ヒト又は動物の体の血管又は中空器官内に前記インプラント（１）を導入するための装置であって、前記インプラント（１）が、マイクロカテーテル（８）の縮径部を有する形状に適合し、かつ、埋め込み部位において、前記マイクロカテーテル（８）の外部拘束が無くなると膨張して、前記血管又は中空器官の直径に適合するように変形可能であり、保持要素（２）が前記挿入ワイヤ（１４）上に配置されている、装置において、
前記保持要素（２）が、その周辺に、前記保持要素（２）の周囲に沿って伸び、曲線形状の軌跡を形成する、前記保持要素（２）内に組み込まれた少なくとも１つの溝（３）を有し、
前記インプラント（１）が、近位端に、近位方向に延びる、少なくとも１つの、前記溝（３）内に嵌合した保持ワイヤ（５）を有し、
前記保持ワイヤ（５）が、摩擦係止によって前記溝（３）に保持され、かつ、前記インプラント（１）の放出が、前記放出チューブ（１３）を近位方向に引き戻すことによって生じるように、前記放出チューブ（１３）が、前記保持要素（２）と前記溝（３）内に嵌合した前記保持ワイヤ（５）とに嵌合する形態でそれらの上に被せられている
ことを特徴とする、装置。
【請求項２】
前記保持要素（２）の周囲の前記溝（３）が、波形の軌跡を形成することを特徴とする、請求項１に記載の装置。
【請求項３】
前記保持要素（２）の周囲の前記溝（３）が、近位方向から遠位方向へと伸び、曲線形状の軌跡を形成することを特徴とする、請求項１又は２に記載の装置。
【請求項４】
前記保持要素（２）が、前記溝（３）を複数有し、前記インプラント（１）が、前記溝（３）内に嵌合した前記保持ワイヤ（５）を複数有することを特徴とする請求項１から３のいずれか一項に記載の装置。
【請求項５】
前記保持要素（２）の前記溝（３）の数が≧４であることを特徴とする、請求項４に記載の装置。
【請求項６】
前記保持要素（２）の前記溝（３）の数が≧８であることを特徴とする、請求項５に記載の装置。
【請求項７】
前記保持要素（２）の前記溝（３）の数が８〜３２であることを特徴とする、請求項６に記載の装置。
【請求項８】
前記溝（３）の断面が、前記保持ワイヤ（５）の断面よりわずかに大きいことを特徴とする、請求項１から７のいずれか一項に記載の装置。
【請求項９】
前記インプラント（１）が、複数の編組ワイヤ（６）でできた編組物であることを特徴とする、請求項１から８のいずれか一項に記載の装置。
【請求項１０】
前記保持ワイヤ（５）が、前記インプラント（１）を形成する編組ワイヤ（６）の近位部であることを特徴とする、請求項９に記載の装置。
【請求項１１】
前記編組ワイヤ（６）の幾つかが、前記近位方向に延長されていることを特徴とする、請求項１０に記載の装置。
【請求項１２】
前記放出チューブ（１３）が、前記近位方向に後退する前に、前記インプラント（１）の前記近位端を覆っていることを特徴とする、請求項１から１１のいずれか一項に記載の装置。
【請求項１３】
前記保持ワイヤ（５）が、該保持ワイヤ（５）と前記溝（３）との間の摩擦力が増加する態様で変形することを特徴とする、請求項１から１２のいずれか一項に記載の装置。
【請求項１４】
インプラント（１）及び放出チューブ（１３）を備えた、ヒト又は動物の体の血管又は中空器官内に前記インプラント（１）を導入するための装置であって、前記インプラント（１）が、マイクロカテーテル（８）の縮径部を有する形状に適合し、かつ、埋め込み部位において、前記マイクロカテーテル（８）の外部拘束が無くなると膨張して、前記血管又は中空器官の直径に適合するように変形可能であり、前記放出チューブ（１３）が、その中を通って挿入ワイヤ（１４）が長さ方向に移動可能な態様で導かれうる、前記装置の長手方向に伸びるルーメンを有している、装置において、
前記放出チューブ（１３）が前記インプラント（１）の前記近位端内に突出し、
前記インプラント（１）の内側と前記放出チューブ（１３）の外側との間に弾性接触面が存在し、それによって、前記インプラント（１）と前記放出チューブ（１３）との間に摩擦係止が生じて、遠位又は近位への前記放出チューブ（１３）の長さ方向の移動によって、前記マイクロカテーテル（８）内に前記インプラント（１）の長さ方向の可動性をもたらす
ことを特徴とする、装置。
【請求項１５】
前記インプラント（１）の内側と前記放出チューブ（１３）の外側との間の前記弾性接触面が、弾性中間層（１１）によって作られることを特徴とする、請求項１４に記載の装置。
【請求項１６】
前記中間層（１１）が、前記放出チューブ（１３）の周りに輪状に伸びることを特徴とする、請求項１５に記載の装置。
【請求項１７】
前記中間層（１１）が、前記放出チューブ（１３）と同じ材料からなることを特徴とする、請求項１５又は１６に記載の装置。
【請求項１８】
前記中間層（１１）および前記放出チューブ（１３）が、ポリイミドからなることを特徴とする、請求項１７に記載の装置。
【請求項１９】
前記中間層（１１）が、エラストマーからなることを特徴とする、請求項１５又は１６に記載の装置。
【請求項２０】
前記エラストマーが、ゴム、天然ゴム、又はシリコーンであることを特徴とする、請求項１９に記載の装置。
【請求項２１】
放出ワイヤ（１７）が、前記放出チューブ（１３）が前記インプラント（１）の前記近位端内に突出している領域の前記インプラント（１）の周りに巻かれており、前記放出ワイヤ（１７）が、インプラント（１）と放出チューブ（１３）との間の前記摩擦力の強化を生じるように、前記インプラント（１）の内側と前記放出チューブ（１３）の外側との間に弾性接触面が存在しており、前記放出ワイヤ（１７）が、少なくとも１つの放出部位において電食性であるか、又は熱的に分離可能である
ことを特徴とする、請求項１４から２０のいずれか一項に記載の装置。
【請求項２２】
前記放出チューブ（１３）の外径が、前記近位端と遠位端との間で変動することを特徴とする、請求項１から２１のいずれか一項に記載の装置。
【手続補正２】
【補正対象書類名】明細書
【補正対象項目名】０１１５
【補正方法】変更
【補正の内容】
【０１１５】
図１２は、インプラント１の周りに放出ワイヤ１７を巻きつけることによって、インプラント１と放出チューブ１３との間に摩擦係止が生成されるバリエーションを示している。放出ワイヤ１７は、放出チューブ１３上へのインプラント１の固定が生じるように、２つのパッド１１の間にインプラント１を括り付ける。よって、マイクロカテーテルがなくても、インプラント１は、電圧が印加され、指定された放出部位において放出ワイヤ１７の電食が生じ、かつ、放出ワイヤがインプラント１から分離されるまで、放出チューブ１３上に依然として固定されたままである。この後、インプラント１は膨張でき、マイクロカテーテル、放出チューブ１３、挿入ワイヤ１４、並びに放出ワイヤ１７の残りの端部は後退させられる。電圧源を放出ワイヤ１７に印加可能にするため、放出ワイヤ１７の２つの端部は近位方向に伸びている。
最後に、本発明の好ましい実施態様を項分け記載する。
実施態様１
インプラント（１）、挿入ワイヤ（１４）及び放出チューブ（１３）を備えた、ヒト又は動物の体の血管又は中空器官内に前記インプラント（１）を導入するための装置であって、前記インプラント（１）が、マイクロカテーテル（８）の縮径部を有する形状に適合し、かつ、埋め込み部位において、前記マイクロカテーテル（８）の外部拘束が無くなると膨張して、前記血管又は中空器官の直径に適合するように変形可能であり、保持要素（２）が前記挿入ワイヤ（１４）上に配置されている、装置において、
前記保持要素（２）が、その周辺に、前記保持要素（２）の周囲に沿って伸び、曲線形状の軌跡を形成する、前記保持要素（２）内に組み込まれた少なくとも１つ、好ましくは複数の溝（３）を有し、
前記インプラント（１）が、近位端に、近位方向に延びる、少なくとも１つ、好ましくは複数の、前記溝（３）内に嵌合した保持ワイヤ（５）を有し、
前記保持ワイヤ（５）が、摩擦係止によって前記溝（３）に保持され、かつ、前記インプラント（１）の放出が、前記放出チューブ（１３）を近位方向に引き戻すことによって生じるように、前記放出チューブ（１３）が、前記保持要素（２）と前記溝（３）内に嵌合した前記保持ワイヤ（５）とに嵌合する形態でそれらの上に被せられている
ことを特徴とする、装置。
実施態様２
前記保持要素（２）の周囲の前記溝（３）が、波形の軌跡を形成することを特徴とする、実施態様１に記載の装置。
実施態様３
前記保持要素（２）の周囲の前記溝（３）が、近位方向から遠位方向へと伸び、曲線形状の軌跡を形成することを特徴とする、実施態様１又は２に記載の装置。
実施態様４
前記保持要素（２）の前記溝（３）の数が≧４であることを特徴とする、実施態様１から３のいずれか一項に記載の装置。
実施態様５
前記保持要素（２）の前記溝（３）の数が≧８であることを特徴とする、実施態様４に記載の装置。
実施態様６
前記保持要素（２）の前記溝（３）の数が８〜３２であることを特徴とする、実施態様５に記載の装置。
実施態様７
前記溝（３）の断面が、前記保持ワイヤ（５）の断面よりわずかに大きいことを特徴とする、実施態様１から６のいずれか一項に記載の装置。
実施態様８
前記インプラント（１）が、複数の編組ワイヤ（６）でできた編組物であることを特徴とする、実施態様１から７のいずれか一項に記載の装置。
実施態様９
前記保持ワイヤ（５）が、前記インプラント（１）を形成する編組ワイヤ（６）の近位部であることを特徴とする、実施態様８に記載の装置。
実施態様１０
前記編組ワイヤ（６）の幾つかが、前記近位方向に延長されていることを特徴とする、実施態様９に記載の装置。
実施態様１１
前記放出チューブ（１３）が、前記近位方向に後退する前に、前記インプラント（１）の前記近位端を覆っていることを特徴とする、実施態様１から１０のいずれか一項に記載の装置。
実施態様１２
前記保持ワイヤ（５）が、該保持ワイヤ（５）と前記溝（３）との間の摩擦力が増加する態様で変形することを特徴とする、実施態様１から１１のいずれか一項に記載の装置。
実施態様１３
インプラント（１）及び放出チューブ（１３）を備えた、ヒト又は動物の体の血管又は中空器官内に前記インプラント（１）を導入するための装置であって、前記インプラント（１）が、マイクロカテーテル（８）の縮径部を有する形状に適合し、かつ、埋め込み部位において、前記マイクロカテーテル（８）の外部拘束が無くなると膨張して、前記血管又は中空器官の直径に適合するように変形可能であり、前記放出チューブ（１３）が、その中を通って挿入ワイヤ（１４）が長さ方向に移動可能な態様で導かれうる、前記装置の長手方向に伸びるルーメンを有している、装置において、
前記放出チューブ（１３）が前記インプラント（１）の前記近位端内に突出し、
前記インプラント（１）の内側と前記放出チューブ（１３）の外側との間に弾性接触面が存在し、それによって、前記インプラント（１）と前記放出チューブ（１３）との間に摩擦係止が生じて、遠位又は近位への前記放出チューブ（１３）の長さ方向の移動によって、前記マイクロカテーテル（８）内に前記インプラント（１）の長さ方向の可動性をもたらす
ことを特徴とする、装置。
実施態様１４
前記インプラント（１）の内側と前記放出チューブ（１３）の外側との間の前記弾性接触面が、弾性中間層（１１）によって作られることを特徴とする、実施態様１３に記載の装置。
実施態様１５
前記中間層（１１）が、前記放出チューブ（１３）の周りに輪状に伸びることを特徴とする、実施態様１４に記載の装置。
実施態様１６
前記中間層（１１）が、前記放出チューブ（１３）と同じ材料、とりわけポリイミドからなることを特徴とする、実施態様１４又は１５に記載の装置。
実施態様１７
前記中間層（１１）が、エラストマーからなることを特徴とする、実施態様１４又は１５に記載の装置。
実施態様１８
前記エラストマーが、ゴム、天然ゴム、又はシリコーンであることを特徴とする、実施態様１７に記載の装置。
実施態様１９
放出ワイヤ（１７）が、前記放出チューブ（１３）が前記インプラント（１）の前記近位端内に突出している領域の前記インプラント（１）の周りに巻かれており、前記放出ワイヤ（１７）が、インプラント（１）と放出チューブ（１３）との間の前記摩擦力の強化を生じるように、前記インプラント（１）の内側と前記放出チューブ（１３）の外側との間に弾性接触面が存在しており、前記放出ワイヤ（１７）が、少なくとも１つの放出部位において電食性であるか、又は熱的に分離可能である
ことを特徴とする、実施態様１３から１８のいずれか一項に記載の装置。
実施態様２０
前記放出チューブ（１３）の外径が、前記近位端と遠位端との間で変動することを特徴とする、実施態様１から１９のいずれか一項に記載の装置。